(57)【要約】【課題】  リモコン操作によってプロジェクターの画像光を投射することが可能な状態で、意図しないで画像光を投射することを適切に防止することが可能なプロジェクター等を提供すること。【解決手段】  プロジェクター１００が、画像光の投射側に設けられ、リモコン２００からの画像光投射指示情報を入力する受光部１１０と、画像光の非投射側に設けられ、リモコン２００からの前記画像光投射指示情報を入力する受光部１１１と、設定データ１２２に基づき、受光部１１０に入力される前記画像光投射指示情報が有効であるかどうかの判定を行う判定部１３０と、前記判定の結果が真の場合は受光部１１０、１１１に入力された前記画像光投射指示情報に基づく制御を行い、前記判定の結果が偽の場合は受光部１１１に入力された前記画像光投射指示情報に基づく制御を行う制御部１５０を含んで構成される。【選択図】  図２
2010211199.tif 000002
【特許請求の範囲】
【請求項１】
画像光の投射側に設けられ、リモートコントローラーからの画像光投射指示情報を入力する第１の情報入力部と、
画像光の非投射側に設けられ、前記リモートコントローラーからの前記画像光投射指示情報を入力する第２の情報入力部と、
前記第１の情報入力部に入力される前記画像光投射指示情報が有効であるかどうかを示す設定データに基づき、前記第１の情報入力部に入力される前記画像光投射指示情報が有効であるかどうかの判定を行う判定部と、
前記判定の結果が真の場合は前記第１の情報入力部または前記第２の情報入力部に入力された前記画像光投射指示情報に基づき、電源をオンにする電源制御、光源を駆動する光源制御、投射レンズのカバーを開けるカバー制御のうちの少なくとも１つの制御を行い、前記判定の結果が偽の場合は前記第２の情報入力部に入力された前記画像光投射指示情報に基づき、前記電源制御、前記光源制御、前記カバー制御のうちの少なくとも１つの制御を行う制御部と、
を含むプロジェクター。
【請求項２】
請求項１に記載のプロジェクターにおいて、
ユーザーの設定指示に応じて前記設定データを更新する更新部を含むプロジェクター。
【請求項３】
請求項１または請求項２に記載のプロジェクターにおいて、
ディスク再生部を含み、
前記画像光投射指示情報は、前記電源をオンにする指示、前記ディスク再生部に対するディスク取り出し指示、前記ディスク再生部に対する再生指示のいずれかを示す情報である、
プロジェクター。
【請求項４】
請求項１〜３のいずれかに記載のプロジェクターにおいて、
前記判定の結果が偽の場合、光および音の少なくとも一方を用いて通知を行う通知部を含むプロジェクター。
【請求項５】
画像光の投射側に設けられ、リモートコントローラーからの画像光投射指示情報を入力する第１の情報入力部と、画像光の非投射側に設けられ、前記リモートコントローラーからの前記画像光投射指示情報を入力する第２の情報入力部とを含むプロジェクターの有するコンピューターに、
前記第１の情報入力部に入力される前記画像光投射指示情報が有効であるかどうかを示す設定データに基づき、前記第１の情報入力部に入力される前記画像光投射指示情報が有効であるかどうかの判定を行う判定ステップと、
前記判定の結果が真の場合は前記第１の情報入力部または前記第２の情報入力部に入力された前記画像光投射指示情報に基づき、電源をオンにする電源制御、光源を駆動する光源制御、投射レンズのカバーを開けるカバー制御のうちの少なくとも１つの制御を行い、前記判定の結果が偽の場合は前記第２の情報入力部に入力された前記画像光投射指示情報に基づき、前記電源制御、前記光源制御、前記カバー制御のうちの少なくとも１つの制御を行う制御ステップと、
を実行させるプログラム。
【請求項６】
画像光の投射側に設けられ、リモートコントローラーからの画像光投射指示情報を入力する第１の情報入力部と、画像光の非投射側に設けられ、前記リモートコントローラーからの前記画像光投射指示情報を入力する第２の情報入力部とを含むプロジェクターの有するコンピューターにより読み取り可能なプログラムを記憶した情報記憶媒体であって、
請求項５に記載のプログラムを記憶した情報記憶媒体。
【請求項７】
入力される画像信号に基づく画像を投射する画像投射部と、
前記画像投射部を前記画像の投射が可能な状態にさせる投射制御信号の入力を受け付ける複数の制御信号受信部と、
前記プロジェクターの動作モードを設定する設定部と、
制御部と、を備え、
前記制御部は、前記動作モードが、前記画像投射部による前記画像の投射を規制するセーフモードに設定されている場合は、所定の制御信号受信部から入力された前記投射制御信号に基づいて前記画像投射部を制御することを特徴とするプロジェクター。
【請求項８】
請求項７に記載のプロジェクターにおいて、
前記複数の制御信号受信部は、リモートコントローラーからの前記投射制御信号を受け付ける第１の情報入力部および第２の情報入力部を含み、
前記第２の情報入力部は、前記第２の情報入力部が前記投射制御信号を受信可能な範囲と、前記画像投射部から投射される光が通過する範囲とが、互いに重ならない位置に設置され、
前記制御部は、前記動作モードが前記セーフモードに設定されている場合は、前記第２の情報入力部から入力される前記投射制御信号に基づいて前記画像投射部を制御することを特徴とするプロジェクター。
【請求項９】
請求項７または請求項８に記載のプロジェクターにおいて、
前記画像投射部は、
光源と、
前記光源の点灯および消灯を制御する光源制御部と、を備え、
前記制御部は、前記投射制御信号に基づいて、前記光源制御部を制御することを特徴とするプロジェクター。
【請求項１０】
請求項７〜９のいずれかに記載のプロジェクターにおいて、
前記画像投射部は、
投射レンズと、
前記投射レンズを保護するレンズカバーと、を備え、
前記制御部は、前記投射制御信号に基づいて、前記レンズカバーの開閉を制御することを特徴とするプロジェクター。
【請求項１１】
請求項７〜１０のいずれかに記載のプロジェクターにおいて、
前記動作モードが前記セーフモードに設定されている状態で、所定の制御信号受信部以外の制御信号受信部から前記投射制御信号を受信した場合、前記動作モードが前記セーフモードに設定されていることを通知する通知部を更に有することを特徴とするプロジェクター。
【請求項１２】
請求項７〜１１のいずれかに記載のプロジェクターにおいて、
着脱可能な記録媒体に記録された情報を読み取る読取部をさらに有し、
前記投射制御信号は、前記記録媒体からの情報の読み取りおよび前記記録媒体の排出のうち、少なくともいずれかの動作を制御する信号を含むことを特徴とするプロジェクター。
【請求項１３】
画像投射部と、複数の制御信号受信部と、を備えたプロジェクターの有するコンピューターによる制御方法であって、
前記コンピューターは、
前記プロジェクターの動作モードを設定するステップと、
制御信号受信部を用いて前記画像投射部を画像の投射が可能な状態にさせる投射制御信号の入力を受け付けるステップと、
前記動作モードが、前記画像投射部による前記画像の投射を規制するセーフモードに設定されている場合は、所定の制御信号受信部から入力された前記投射制御信号に基づいて前記画像投射部を制御するステップと、を実行することを特徴とする制御方法。
【請求項１４】
請求項１３に記載の制御方法において、
前記複数の制御信号受信部は、リモートコントローラーからの前記投射制御信号を受け付ける第１の情報入力部および第２の情報入力部を含み、
前記第２の情報入力部は、前記第２の情報入力部が前記投射制御信号を受信可能な範囲と、前記画像投射部から投射される光が通過する範囲とが、互いに重ならない位置に設置され、
前記コンピューターは、前記動作モードが前記セーフモードに設定されている場合は、前記第２の情報入力部から入力される前記投射制御信号に基づいて前記画像投射部を制御するステップを実行することを特徴とする制御方法。
【請求項１５】
請求項１３または請求項１４に記載の制御方法において、
前記画像投射部は、光源と、前記光源の点灯および消灯を制御する光源制御部と、を含み、
前記コンピューターは、前記投射制御信号に基づいて、前記光源制御部を制御するステップを実行することを特徴とする制御方法。
【請求項１６】
請求項１３〜１５のいずれかに記載の制御方法において、
前記画像投射部は、投射レンズと、前記投射レンズを保護するレンズカバーと、を含み、
前記コンピューターは、前記投射制御信号に基づいて、前記レンズカバーの開閉を制御するステップを実行することを特徴とする制御方法。
【請求項１７】
請求項１３〜１６のいずれかに記載の制御方法において、
前記コンピューターは、前記動作モードが前記セーフモードに設定されている状態で、所定の制御信号受信部以外の制御信号受信部から前記投射制御信号を受信した場合、前記動作モードが前記セーフモードに設定されていることを通知するステップを実行することを特徴とする制御方法。
【請求項１８】
請求項１３〜１７のいずれかに記載の制御方法において、
前記コンピューターは、
前記制御信号受信部に対し、着脱可能な記録媒体からの情報の読み取りおよび前記記録媒体の排出のうち、少なくともいずれかの動作を制御する信号を前記制御信号受信部に受信させるステップと、
当該信号に応じて前記記録媒体からの情報の読み取りおよび前記記録媒体の排出の少なくとも一方を行うステップと、を実行することを特徴とする制御方法。
【発明の詳細な説明】
【技術分野】
【０００１】
本発明は、プロジェクター、プログラム、情報記憶媒体および制御方法に関する。
【背景技術】
【０００２】
プロジェクターを床等に置いて使用する際に、幼児等が、誤ってプロジェクターの電源スイッチを押してプロジェクターの電源が入り、投射レンズを覗き込んで目を傷める可能性があった。このため、いわゆるチャイルドロック設定が行われている場合、電源スイッチを長押ししないと電源が入らないプロジェクターも提供されているが、幼児が電源スイッチを長押しする可能性もあり、この方法では目の保護を適切に図ることができない。
【０００３】
また、プロジェクターのキャビネットに対して投射レンズを進退自在に配設するとともに、使用時にはキャビネット内から投射位置まで投射レンズを伸長させ、未使用時にはキャビネット内に投射レンズを収納可能に構成し、投射レンズの進退移動に連動してプロジェクターの電源スイッチをオン／オフさせるようにしたプロジェクターも提案されている。
【０００４】
しかし、この手法の場合、ユーザーが、投射終了後に投射レンズを指定位置まで戻すのを忘れると、電源が容易に入れられてしまうという問題がある。また、プロジェクターに入力信号がない時に専用の画像に自動的に切り替える手法も提案されているが、当該手法も、ユーザーがレンズを覗き込むと目を傷める可能性がある。さらに、開閉式のレンズカバーを用いる手法も考えられるが、プロジェクター使用後のクールダウンが終わった後、ユーザーがレンズカバーを閉じるのを忘れると、幼児等によって簡単に電源スイッチを入れられてしまうという問題がある。
【０００５】
これらの問題を解決する手法として、特開２００８−１１６６２８号公報では、プロジェクター本体で所定の操作を行わないで電源のオン操作を行った場合、電源をオンにしない制御を行うプロジェクターが提案されている。
【先行技術文献】
【特許文献】
【０００６】
【特許文献１】特開２００８−１１６６２８号公報
【発明の概要】
【発明が解決しようとする課題】
【０００７】
しかし、実際には、プロジェクターの電源のオンオフは本体操作だけでなく、リモコン（リモートコントローラー）操作でも行われており、プロジェクター本体でない場合には電源スイッチが入らないように制御すると、ユーザーの使い勝手が低下してしまう。
【０００８】
本発明にかかるいくつかの態様は、上記課題を解決することにより、リモコン操作によってプロジェクターの画像光を投射することが可能な状態で、意図しないで画像光を投射することを適切に防止することが可能なプロジェクター、プログラム、情報記憶媒体および制御方法を提供することにある。
【課題を解決するための手段】
【０００９】
本発明の態様の１つであるプロジェクターは、画像光の投射側に設けられ、リモートコントローラーからの画像光投射指示情報を入力する第１の情報入力部と、画像光の非投射側に設けられ、前記リモートコントローラーからの前記画像光投射指示情報を入力する第２の情報入力部と、前記第１の情報入力部に入力される前記画像光投射指示情報が有効であるかどうかを示す設定データに基づき、前記第１の情報入力部に入力される前記画像光投射指示情報が有効であるかどうかの判定を行う判定部と、前記判定の結果が真の場合は前記第１の情報入力部または前記第２の情報入力部に入力された前記画像光投射指示情報に基づき、電源をオンにする電源制御、光源を駆動する光源制御、投射レンズのカバーを開けるカバー制御のうちの少なくとも１つの制御を行い、前記判定の結果が偽の場合は前記第２の情報入力部に入力された前記画像光投射指示情報に基づき、前記電源制御、前記光源制御、前記カバー制御のうちの少なくとも１つの制御を行う制御部と、を含むことを特徴とする。
【００１０】
また、本発明の態様の１つであるプログラムは、画像光の投射側に設けられ、リモートコントローラーからの画像光投射指示情報を入力する第１の情報入力部と、画像光の非投射側に設けられ、前記リモートコントローラーからの前記画像光投射指示情報を入力する第２の情報入力部とを含むプロジェクターの有するコンピューターに、前記第１の情報入力部に入力される前記画像光投射指示情報が有効であるかどうかを示す設定データに基づき、前記第１の情報入力部に入力される前記画像光投射指示情報が有効であるかどうかの判定を行う判定ステップと、前記判定の結果が真の場合は前記第１の情報入力部または前記第２の情報入力部に入力された前記画像光投射指示情報に基づき、電源をオンにする電源制御、光源を駆動する光源制御、投射レンズのカバーを開けるカバー制御のうちの少なくとも１つの制御を行い、前記判定の結果が偽の場合は前記第２の情報入力部に入力された前記画像光投射指示情報に基づき、前記電源制御、前記光源制御、前記カバー制御のうちの少なくとも１つの制御を行う制御ステップと、を実行させることを特徴とする。
【００１１】
また、本発明の態様の１つである情報記憶媒体は、画像光の投射側に設けられ、リモートコントローラーからの画像光投射指示情報を入力する第１の情報入力部と、画像光の非投射側に設けられ、前記リモートコントローラーからの前記画像光投射指示情報を入力する第２の情報入力部とを含むプロジェクターの有するコンピューターにより読み取り可能なプログラムを記憶した情報記憶媒体であって、上記プログラムを記憶したことを特徴とする。
【００１２】
本発明によれば、プロジェクターは、画像光の投射側に入力される画像光投射指示情報が無効な設定である場合、画像光の非投射側に入力される画像光投射指示情報を用いて制御を行うことにより、幼児等によって画像光の投射側から画像光投射指示情報が入力された場合であっても、画像光の投射を防止することができる。これにより、プロジェクターは、リモコン操作によってプロジェクターの画像光を投射することが可能な状態で、意図しないで画像光を投射することを適切に防止することができる。
【００１３】
また、前記プロジェクターは、ユーザーの設定指示に応じて前記設定データを更新する更新部を含んでもよい。
【００１４】
これによれば、ユーザーは、自分の使用状況に応じて設定データを更新することができるため、例えば、幼児等のいない状況では画像光の投射側への画像光投射指示情報を有効に設定し、幼児等のいる状況では画像光の投射側への画像光投射指示情報を無効に設定することにより、状況に応じてチャイルドロック機能と画像光投射側入力機能を使い分けることができる。
【００１５】
また、前記プロジェクターは、ディスク再生部を含み、前記画像光投射指示情報は、前記電源をオンにする指示、前記ディスク再生部に対するディスク取り出し指示、前記ディスク再生部に対する再生指示のいずれかを示す情報であってもよい。
【００１６】
これによれば、プロジェクターは、画像光の投射に関する種々の指示に応じて適切に画像光の投射制御を行うことができる。
【００１７】
また、前記プロジェクターは、前記判定の結果が偽の場合、光および音の少なくとも一方を用いて通知を行う通知部を含んでもよい。
【００１８】
これによれば、プロジェクターは、操作が無効であること等をユーザーに通知することができる。
【００１９】
また、本発明の態様の１つであるプロジェクターは、入力される画像信号に基づく画像を投射する画像投射部と、前記画像投射部を前記画像の投射が可能な状態にさせる投射制御信号の入力を受け付ける複数の制御信号受信部と、前記プロジェクターの動作モードを設定する設定部と、を備え、前記動作モードが、前記画像投射部による前記画像の投射を規制するセーフモードに設定されている場合は、所定の制御信号受信部から入力された前記投射制御信号に基づいて前記画像投射部を制御することを特徴とする。
【００２０】
また、本発明の態様の１つである制御方法は、画像投射部と、複数の制御信号受信部と、を備えたプロジェクターの有するコンピューターによる制御方法であって、前記コンピューターは、前記プロジェクターの動作モードを設定するステップと、制御信号受信部を用いて前記画像投射部を画像の投射が可能な状態にさせる投射制御信号の入力を受け付けるステップと、前記動作モードが、前記画像投射部による前記画像の投射を規制するセーフモードに設定されている場合は、所定の制御信号受信部から入力された前記投射制御信号に基づいて前記画像投射部を制御するステップと、を実行することを特徴とする。
【００２１】
本発明によれば、プロジェクターは、所定の制御信号受信部が受信した投射制御信号に基づいて画像投射部を制御することにより、意図的でない操作による画像光の投射を規制することができる。
【００２２】
また、本発明の別の適用例のプロジェクターによれば、前記複数の制御信号受信部は、リモートコントローラーからの前記投射制御信号を受け付ける第１の情報入力部および第２の情報入力部を含み、前記第２の情報入力部は、前記第２の情報入力部が前記投射制御信号を受信可能な範囲と、前記画像投射部から投射される光が通過する範囲とが、互いに重ならない位置に設置され、前記動作モードが前記セーフモードに設定されている場合は、前記第２の情報入力部から入力される前記投射制御信号に基づいて前記画像投射部を制御してもよい。
【００２３】
これによれば、プロジェクターの動作モードがセーフモードに設定されている場合、画像光が投射される側から入力される投射制御信号指示情報によって画像が投射されることがないため、幼児等が画像光の投射側からリモコンを用いて画像投射制御信号を発信したとしても、画像投射部から投射される強い光によって目を傷めることを防止することができる。すなわち、意図的でないリモコン操作による画像光の投射を規制することができる。
【００２４】
また、本発明の別の適用例のプロジェクターによれば、前記画像投射部は、光源と、前記光源の点灯および消灯を制御する光源制御部と、を備え、前記投射制御信号に基づいて、前記光源制御部を制御してもよい。
【００２５】
これによれば、プロジェクターの動作モードがセーフモードに設定されている場合、画像投射部を構成する光源が、意図的でない操作によって点灯することがないため、きわめて安全なプロジェクターを提供することができる。
【００２６】
また、本発明の別の適用例のプロジェクターによれば、前記画像投射部は、投射レンズと、前記投射レンズを保護するレンズカバーと、を備え、前記投射制御信号に基づいて、前記レンズカバーの開閉を制御してもよい。
【００２７】
これによれば、プロジェクターの動作モードがセーフモードに設定されている場合、画像投射部を構成するレンズカバーが、意図的でない操作によって開くことがないため、きわめて安全なプロジェクターを提供することができる。
【００２８】
また、本発明の別の適用例のプロジェクターによれば、前記動作モードが前記セーフモードに設定されている状態で、所定の制御信号受信部以外の制御信号受信部から前記投射制御信号を受信した場合、前記動作モードが前記セーフモードに設定されていることを通知する通知部を更に有してもよい。
【００２９】
これによれば、プロジェクターのユーザーは、点灯制御信号を入力しているにも関わらずプロジェクターが画像を投射しない状況で、動作モードがセーフモードに設定されていることを直ちに把握することができるため、利便性が高い。
【００３０】
また、本発明の別の適用例のプロジェクターによれば、リムーバブルな記録媒体に記録された情報を読み取る読取部をさらに有し、前記投射制御信号は、前記記録媒体からの情報の読み取りおよび前記記録媒体の排出のうち、少なくともいずれかの動作を制御する信号を含んでもよい。
【００３１】
これによれば、画像情報等が記録された記録媒体の内容をプロジェクターに備えられた読取部に読み込ませる操作が、投射制御信号と連動しているため、例えば、読取部に読み取られた記録媒体の再生を指示することによって画像の投射を開始することができるので、利便性が高い。さらに、意図的でない操作によって記録媒体の再生および画像の投射をすることがないため、きわめて安全なプロジェクターを提供することができる。
【００３２】
なお、本発明は上述した適用例に限定されるものではなく、プロジェクターの制御方法、当該制御方法をコンピューターに実行させるプログラム、当該プログラムを記憶したコンピューター読み取り可能な情報記憶媒体等、種々の態様が可能である。
【図面の簡単な説明】
【００３３】
【図１】第１の実施例におけるプロジェクターの使用状況を示す図である。
【図２】第１の実施例におけるプロジェクターの機能ブロック図である。
【図３】第１の実施例における光源駆動手順を示すフローチャートである。
【図４】第２の実施例におけるプロジェクターの使用状況を示す図である。
【図５】第２の実施例におけるプロジェクターの機能ブロック図である。
【図６】第２の実施例における光源駆動手順を示すフローチャートである。
【図７】第３の実施例におけるプロジェクターの機能ブロック図である。
【図８】第４の実施例におけるプロジェクターの機能ブロック図である。
【図９】その他の実施例におけるプロジェクターの機能ブロック図である。
【発明を実施するための形態】
【００３４】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００３５】
（第１の実施例）
図１は、第１の実施例におけるプロジェクター１００の使用状況を示す図である。プロジェクター１００は、画像光の投射側である筐体正面に受光部１１０を配置し、画像光の非投射側である筐体背面に受光部１１１を配置している。なお、受光部１１０は、リモコン２００からの画像光投射指示情報を投射側で入力する第１の情報入力部として機能し、受光部１１１は、当該画像光投射指示情報を非投射側で入力する第２の情報入力部として機能する。
【００３６】
例えば、画像光の投射側にいる幼児等がリモコン２００の電源ボタン等を誤って操作することによって画像光が投射された場合、画像光によって目を痛める可能性がある。本実施例では、設定に応じて受光部１１０でリモコン２００の電源ボタン等の押下操作情報を受信した場合であっても、電源等を駆動しないように制御している。
【００３７】
次に、このような機能を有するプロジェクター１００の機能ブロックについて説明する。図２は、第１の実施例におけるプロジェクター１００の機能ブロック図である。
【００３８】
プロジェクター１００は、受光部１１０、１１１と、受光部１１０に入力される画像光投射指示情報が有効であるかどうかを示す設定データ１２２等を記憶する記憶部１２０と、設定データ１２２に基づき、受光部１１０に入力される画像光投射指示情報が有効であるかどうかの判定等を行う判定部１３０と、設定データ１２２等の更新を行う更新部１４０と、電源１６０と、光源１７０と、電源１６０をオンにする電源制御等を行う制御部１５０を含んで構成されている。
【００３９】
なお、プロジェクター１００は、これらの各部の機能を、以下のハードウェアを用いて実装してもよい。例えば、プロジェクター１００は、受光部１１０、１１１は赤外通信ユニット等、記憶部１２０は不揮発性メモリー等、判定部１３０、更新部１４０、制御部１５０はＣＰＵ等のいわゆるコンピューター、電源１６０は電源ユニット等、光源１７０はランプ等を用いて実装してもよい。
【００４０】
また、プロジェクター１００は、判定部１３０等の機能を情報記憶媒体３００に記憶されたプログラムを読み取って実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用できる。
【００４１】
次に、これらの各部を用いた光源駆動手順について説明する。図３は、第１の実施例における光源駆動手順を示すフローチャートである。
【００４２】
ユーザーは、いわゆるチャイルドロック機能を有効にする場合、プロジェクター１００によって環境設定メニュー画像を表示し、プロジェクター１００の本体ボタン操作またはリモコン２００のボタン操作で環境設定メニュー内のチャイルドロックを有効にする設定を行う。
【００４３】
更新部１４０は、これらの操作に応じて設定データ１２２を更新する。例えば、更新部１４０は、チャイルドロックを有効にする設定操作が行われた場合、受光部１１０に入力される画像光投射指示情報が無効であり、チャイルドロックを無効にする設定操作が行われた場合、受光部１１０に入力される画像光投射指示情報が有効であることを示すように、設定データ１２２を更新する。以上の手順により、チャイルドロック機能が設定される。
【００４４】
ユーザーは、プロジェクター１００の電源１６０がオフの状態で、リモコン２００の電源ボタンを押すことにより、画像光投射指示情報をプロジェクター１００に出力する。なお、本実施例では、画像光投射指示情報は、電源１６０をオンにする指示を示す情報である。
【００４５】
判定部１３０は、受光部１１０または受光部１１１が画像光投射指示情報を入力したかどうかを判定するとともに（ステップＳ１）、投射側の受光部１１０によって入力されたかどうかを判定する（ステップＳ２）。
【００４６】
投射側の受光部１１０によって画像光投射指示情報が入力された場合、判定部１３０は、設定データ１２２を参照して受光部１１０に入力される画像光投射指示情報が有効であるかどうかを判定する（ステップＳ３）。
【００４７】
受光部１１０に画像光投射指示情報が入力され、かつ、受光部１１０に入力される画像光投射指示情報が有効である場合、あるいは、受光部１１１に画像光投射指示情報が入力された場合、制御部１５０は、電源１６０をオンにする制御を行う（ステップＳ４）。
【００４８】
電源１６０がオンになった場合、光源１７０も駆動され（ステップＳ５）、プロジェクター１００は、画像光を投射する。
【００４９】
一方、受光部１１０に画像光投射指示情報が入力され、かつ、受光部１１０に入力される画像光投射指示情報が無効である場合、電源１６０はオンにならず、光源１７０も駆動されず、画像光も投射されない。
【００５０】
以上のように、本実施例によれば、プロジェクター１００は、画像光の投射側に入力される画像光投射指示情報が無効な設定である場合、画像光の非投射側に入力される画像光投射指示情報を用いて制御を行うことにより、幼児等によって画像光の投射側から画像光投射指示情報が入力された場合であっても、画像光の投射を防止することができる。これにより、プロジェクター１００は、リモコン操作によってプロジェクター１００の画像光を投射することが可能な状態で、意図しないで画像光を投射することを適切に防止することができる。
【００５１】
また、本実施例によれば、ユーザーは、自分の使用状況に応じて設定データ１２２を更新することができるため、例えば、幼児等のいない状況では画像光の投射側への画像光投射指示情報を有効に設定し、幼児等のいる状況では画像光の投射側への画像光投射指示情報を無効に設定することにより、状況に応じてチャイルドロック機能と画像光投射側入力機能を使い分けることができる。
【００５２】
（第２の実施例）
プロジェクターは、ＤＶＤ等のディスクを再生するディスク再生部と一体型のものであってもよい。また、第１の実施例では、プロジェクターは、電源をオンにする電源制御のみ行っているが、例えば、光源１７０を駆動する光源制御を行ってもよい。また、投射側への画像光投射指示情報の入力が無効な場合、第１の実施例では何もしていないが、例えば、音や光等を用いて画像光投射指示情報の入力が無効であることを通知してもよい。
【００５３】
図４は、第２の実施例におけるプロジェクター１０１の使用状況を示す図である。プロジェクター１０１は、ディスク再生部１８０を有しており、ディスク再生部１８０に対するディスク取り出し指示、ディスク再生部１８０に対する再生指示のいずれかの指示に応じて光源１７０を駆動する光源制御を行う。
【００５４】
次に、このような機能を有するプロジェクター１０１の機能ブロックについて説明する。図５は、第２の実施例におけるプロジェクター１０１の機能ブロック図である。プロジェクター１０１は、第１の実施例のプロジェクター１００と同様の構成であるが、ディスク再生部１８０と、通知部１９０を有し、制御部１５１が電源１６０だけでなく、光源１７０、ディスク再生部１８０および通知部１９０を制御する点でプロジェクター１００の構成と相違している。なお、本実施例では、電源１６０は常にオンになっているものとする。
【００５５】
具体的には、例えば、ディスク再生部１８０は、ＤＶＤ再生ユニット、ブルーレイディスク再生ユニット等であり、通知部１９０は、ＬＥＤ等である。なお、プロジェクター１０１は、情報記憶媒体３０１からプログラムを読み取ってこれらの機能を実装してもよい。
【００５６】
次に、これらの各部を用いた光源駆動手順について説明する。図６は、第２の実施例における光源駆動手順を示すフローチャートである。
【００５７】
ユーザーは、リモコン２００の電源ボタン、リモコン２００のディスク取り出しボタン（例えば、イジェクトボタン等）またはリモコン２００の再生ボタンを押すことにより、画像光投射指示情報をプロジェクター１０１に出力する。なお、本実施例では、画像光投射指示情報は、ディスク取り出し指示またはディスクの再生指示を示す情報である。
【００５８】
判定部１３０は、受光部１１０または受光部１１１が画像光投射指示情報を入力したかどうかを判定するとともに（ステップＳ１１）、投射側の受光部１１０によって入力されたかどうかを判定する（ステップＳ１２）。
【００５９】
投射側の受光部１１０によって画像光投射指示情報が入力された場合、判定部１３０は、設定データ１２２を参照して受光部１１０に入力される画像光投射指示情報が有効であるかどうかを判定する（ステップＳ１３）。
【００６０】
受光部１１０に画像光投射指示情報が入力され、かつ、受光部１１０に入力される画像光投射指示情報が有効である場合、あるいは、受光部１１１に画像光投射指示情報が入力された場合、制御部１５１は、光源１７０を駆動する制御を行う（ステップＳ１４）。なお、この場合、制御部１５１は、指示内容に応じてディスク再生部１８０に対し、ディスクの取り出し制御またはディスクの再生制御を行う。
【００６１】
一方、受光部１１０に画像光投射指示情報が入力され、かつ、受光部１１０に入力される画像光投射指示情報が無効である場合、制御部１５１は、通知部１９０のＬＥＤを点滅させて操作が無効であることをユーザーに通知する。この場合、光源１７０は駆動されず、画像光も投射されない。
【００６２】
以上のように、本実施例によれば、プロジェクター１０１は、第１の実施例と同様の作用効果を奏することができる。また、本実施例によれば、プロジェクター１０１は、画像光の投射に関する種々の指示に応じて適切に画像光の投射制御を行うことができる。
【００６３】
また、本実施例によれば、プロジェクター１０１は、操作が無効であること等をユーザーに通知することができる。これにより、ユーザーは、ディスク再生ボタンを押してもディスクが再生されないといった状況になっている原因を容易に理解することができる。
【００６４】
（第３の実施例）
図１は、第１の実施例と同様に、第３の実施例におけるプロジェクターの使用状況を示す図である。第３の実施例におけるプロジェクターは、本発明の画像投射部が画像を投射する方向、すなわち画像光の投射側である筐体正面に受光部１１０を配置し、画像光の非投射側である筐体背面に受光部１１１を配置している。なお、受光部１１０は、リモコン２００からの画像光投射指示情報を投射側で入力する第１の情報入力部として機能し、受光部１１１は、当該画像光投射指示情報を非投射側で入力する第２の情報入力部として機能する。なお、画像光投射指示情報は本発明の画像投射制御信号に対応する。
【００６５】
例えば、画像光の投射側にいる幼児等がリモコン２００の電源ボタン等を誤って操作することによって画像光が投射された場合、画像光によって目を痛める可能性がある。本実施例では、動作モードの設定に応じて受光部１１０でリモコン２００の電源ボタン等の押下操作情報を受信した場合であっても、電源等を駆動しないように制御している。
【００６６】
次に、このような機能を有するプロジェクター１０２の機能ブロックについて説明する。図７は、第３の実施例におけるプロジェクター１０２の機能ブロック図である。
【００６７】
プロジェクター１０２は、受光部１１０、１１１と、受光部１１０に入力される画像光投射指示情報が有効であるかどうかを示す設定データ１２２等を記憶する記憶部１２０と、設定データ１２２に基づき、受光部１１０に入力される画像光投射指示情報が有効であるかどうかの判定等を行う判定部１３０と、設定データ１２２等の更新を行う更新部１４０と、電源１６０と、光源１７０と、電源１６０をオンにする電源制御等を行う制御部１５２を含んで構成されている。制御部１５２は、光源１７０の点灯および消灯と、光源１７０の点灯中の駆動とを制御する光源制御部としての機能を有する。なお、光源１７０は、光源１７０から入射する光を画像信号に基づいて変調する光変調装置、投射レンズ等とともに（いずれも不図示）、本発明の画像投射部を構成する。画像投射部の構成要件は、上述したものに限定されない。また、光源制御部は、制御部１５２と異なるハードウェアによって構成されてもよい。
【００６８】
なお、プロジェクター１０２は、これらの各部の機能を、以下のハードウェアを用いて実装してもよい。例えば、プロジェクター１０２は、受光部１１０、１１１は赤外通信ユニット等、記憶部１２０は不揮発性メモリー等、判定部１３０、更新部１４０、制御部１５２はＣＰＵ等のいわゆるコンピューター、電源１６０は電源ユニット等、光源１７０はランプ等を用いて実装してもよい。
【００６９】
次に、これらの各部を用いた光源駆動手順について説明する。図３は、第１の実施例と同様に、第３の実施例における光源駆動手順を示すフローチャートである。
【００７０】
ユーザーは、本発明のセーフモード、いわゆるチャイルドロック機能を有効にする場合、プロジェクター１０２によって環境設定メニュー画像を表示し、プロジェクター１０２の本体に備えられた操作パネルまたはリモコン２００を操作することによって環境設定メニュー内のチャイルドロックを有効にする設定を行う。
【００７１】
更新部１４０は、これらの操作に応じて設定データ１２２を更新する。例えば、更新部１４０は、チャイルドロックを有効にする設定操作が行われた場合、受光部１１０に入力される画像光投射指示情報が無効であり、チャイルドロックを無効にする設定操作が行われた場合、受光部１１０に入力される画像光投射指示情報が有効であることを示すように、設定データ１２２を更新する。以上の手順により、チャイルドロック機能が設定される。なお、本実施形態では、受光部１１０をプロジェクター１０２のフロントパネルに、受光部１１１をプロジェクター１０２のリアパネルにそれぞれ設置する構成を例示するが、発明はこれに限定されるものではなく、フロントパネルと天板とが成すエッジ部分に受光部１１０を設ける構成や、フロントパネルとサイドパネルとが成すエッジ部分に受光部１１０を設ける構成などが可能である。さらに、リアパネルと天板とが成すエッジ部分に受光部１１１を設ける構成や、リアパネルとサイドパネルとが成すエッジ部分に受光部１１１を設ける構成が可能である。要するに、画像投射部から投射される光の通過する範囲の空間、すなわち、プロジェクター１０２の最大画角によって決定される範囲の空間から発信された画像光投射指示情報を受信できないような位置に、受光部１１１を設置すればよい。したがって、上述した条件さえ満たせば、プロジェクター１０２のサイドパネルに受光部１１１を設置してもよい。言い換えると、受光部１１１が画像光投射指示情報を受信可能な範囲と、画像投射部から投射される光が通過する範囲とが、互いに重ならないように、プロジェクター１０２に対する受光部１１１の取り付け位置を設計すればよい。
【００７２】
ユーザーは、プロジェクター１０２の電源１６０がオフの状態で、リモコン２００の電源ボタンを押すことにより、画像光投射指示情報をプロジェクター１０２に出力する。なお、本実施例では、画像光投射指示情報は、電源１６０をオンにする指示を示す情報である。
【００７３】
判定部１３０は、受光部１１０または受光部１１１が画像光投射指示情報を入力したかどうかを判定するとともに（ステップＳ１）、投射側の受光部１１０によって入力されたかどうかを判定する（ステップＳ２）。
【００７４】
投射側の受光部１１０によって画像光投射指示情報が入力された場合、判定部１３０は、設定データ１２２を参照して受光部１１０に入力される画像光投射指示情報が有効であるかどうかを判定する（ステップＳ３）。
【００７５】
受光部１１０に画像光投射指示情報が入力され、かつ、受光部１１０に入力される画像光投射指示情報が有効である場合、あるいは、受光部１１１に画像光投射指示情報が入力された場合、制御部１５２は、電源１６０をオンにする制御を行う（ステップＳ４）。
【００７６】
電源１６０がオンになった場合、光源１７０も駆動され（ステップＳ５）、プロジェクター１０２は、画像光を投射する。
【００７７】
一方、受光部１１０に画像光投射指示情報が入力され、かつ、受光部１１０に入力される画像光投射指示情報が無効である場合、電源１６０はオンにならず、光源１７０も駆動されず、画像光も投射されない。
【００７８】
以上のように、本実施例によれば、プロジェクター１０２は、画像光の投射側に入力される画像光投射指示情報が無効な設定である場合、画像光の非投射側に入力される画像光投射指示情報を用いて制御を行うことにより、幼児等によって画像光の投射側から画像光投射指示情報が入力された場合であっても、画像光の投射を防止することができる。これにより、プロジェクター１０２は、リモコン操作によってプロジェクター１０２の画像光を投射することが可能な状態で、意図しないで画像光を投射することを適切に防止することができる。
【００７９】
また、本実施例によれば、ユーザーは、自分の使用状況に応じて設定データ１２２を更新することができるため、例えば、幼児等のいない状況では画像光の投射側への画像光投射指示情報を有効に設定し、幼児等のいる状況では画像光の投射側への画像光投射指示情報を無効に設定することにより、状況に応じてチャイルドロック機能と画像光投射側入力機能を使い分けることができる。
【００８０】
（第４の実施例）
プロジェクターは、ＤＶＤ等のディスク（記録媒体）を再生するディスク再生部と一体型のものであってもよい。また、投射側への画像光投射指示情報の入力が無効な場合、第３の実施例では何もしていないが、例えば、音や光等を用いて画像光投射指示情報の入力が無効であることを通知してもよい。
【００８１】
図４は、第２の実施例と同様に、第４の実施例におけるプロジェクターの使用状況を示す図である。第４の実施例におけるプロジェクターは、ディスク再生部１８０を有しており、ディスク再生部１８０に対するディスク取り出し指示、ディスク再生部１８０に対する再生指示のいずれかの指示に応じて光源１７０を駆動する光源制御を行う。ここで、ディスク再生部１８０は、本発明における読取部に対応し、リムーバブル（着脱可能）な記録媒体である各種光ディスクに記録された情報を読み出す機能を有している。
【００８２】
次に、このような機能を有するプロジェクター１０３の機能ブロックについて説明する。図８は、第４の実施例におけるプロジェクター１０３の機能ブロック図である。プロジェクター１０３は、第３の実施例のプロジェクター１０２と同様の構成であるが、ディスク再生部１８０と、通知部１９０を有し、制御部１５３が電源１６０および光源１７０に加え、ディスク再生部１８０および通知部１９０を制御する点でプロジェクター１０２の構成と相違している。
【００８３】
具体的には、例えば、ディスク再生部１８０は、ＤＶＤ再生ユニット、ブルーレイディスク再生ユニット等であり、通知部１９０は、ＬＥＤ等である。
【００８４】
次に、これらの各部を用いた光源駆動手順について説明する。図６は、第２の実施例と同様に、第４の実施例における光源駆動手順を示すフローチャートである。
【００８５】
ユーザーは、リモコン２００の電源ボタン、リモコン２００のディスク取り出しボタン（例えば、イジェクトボタン等）またはリモコン２００の再生ボタンを押すことにより、画像光投射指示情報をプロジェクター１０３に出力する。なお、本実施例では、画像光投射指示情報は、ディスク取り出し指示またはディスクの再生指示を示す情報である。
【００８６】
判定部１３０は、受光部１１０または受光部１１１が画像光投射指示情報を入力したかどうかを判定するとともに（ステップＳ１１）、投射側の受光部１１０によって入力されたかどうかを判定する（ステップＳ１２）。
【００８７】
投射側の受光部１１０によって画像光投射指示情報が入力された場合、判定部１３０は、設定データ１２２を参照して受光部１１０に入力される画像光投射指示情報が有効であるかどうかを判定する（ステップＳ１３）。
【００８８】
受光部１１０に画像光投射指示情報が入力され、かつ、受光部１１０に入力される画像光投射指示情報が有効である場合、あるいは、受光部１１１に画像光投射指示情報が入力された場合、制御部１５３は、光源１７０を駆動する制御を行う（ステップＳ１４）。なお、この場合、制御部１５３は、指示内容に応じてディスク再生部１８０に対し、ディスクの取り出し制御またはディスクの再生制御を行う。
【００８９】
一方、受光部１１０に画像光投射指示情報が入力され、かつ、受光部１１０に入力される画像光投射指示情報が無効である場合、制御部１５３は、通知部１９０のＬＥＤを点滅させて操作が無効であることをユーザーに通知する。この場合、光源１７０は駆動されず、画像光も投射されない。
【００９０】
以上のように、本実施例によれば、プロジェクター１０３は、第１の実施例と同様の作用効果を奏することができる。また、本実施例によれば、プロジェクター１０３は、画像光の投射に関する種々の指示に応じて適切に画像光の投射制御を行うことができる。
【００９１】
また、本実施例によれば、プロジェクター１０３は、操作が無効であること等をユーザーに通知することができる。これにより、ユーザーは、ディスク再生ボタンを押してもディスクが再生されないといった状況になっている原因を容易に理解することができる。
【００９２】
（その他の実施例）
なお、本発明の適用は上述した実施例に限定されず、種々の変形が可能である。図９は、リモコン２００のボタン操作で投射レンズのレンズカバー１７２の開閉制御が可能なプロジェクター１０４の機能ブロック図である。制御部１５４は、例えば、画像光が投射されているが投射レンズ１７２のカバーが閉じていることによって投射光がプロジェクター１０４の外部に投射されていない状態で、設定データ１２２に応じてレンズカバー駆動部１７１を制御することによって、レンズカバー１７２の開閉を行ってもよい。
【００９３】
すなわち、受光部１１０に画像光投射指示情報が入力され、かつ、受光部１１０に入力される画像光投射指示情報が無効である場合、制御部１５４は、レンズカバー１７２が閉じたままの状態を維持し、受光部１１０に画像光投射指示情報が入力され、かつ、受光部１１０に入力される画像光投射指示情報が有効である場合、あるいは、受光部１１１に画像光投射指示情報が入力された場合、制御部１５４は、レンズカバー１７２を開放する制御を行ってもよい。
【００９４】
また、通知部１９０による通知の手法は、ＬＥＤを点滅する手法には限定されず、例えば、ＬＥＤの点灯する手法、プロジェクターやリモコンの液晶画面で画像表示する手法、プロジェクターやリモコンでの音声を出力する手法およびこれらを組み合わせた手法等によって通知する手法であってもよい。
【００９５】
また、受光部１１０、１１１の配置は正面と背面には限定されず、指示位置が特定できれば、例えば、上面、側面等でもよい。また、受光部１１０、１１１の個数は２個には限定されず、３個以上であってもよい。例えば、受光部は、正面に２個、背面に２個配置されてもよい。また、第１および第２の情報入力部は、受光部１１０、１１１には限定されず、例えば、無線で情報を受信する受信部等であってもよい。また、リモコンと情報入力部との間の通信媒体は電磁波に限定されるものではなく、指向性の高い非可聴帯域の音波を利用することもできる。例えば、リモコンで超音波に変調された画像光投射指示情報を、プロジェクターに設けたマイクを用いて電気信号に復調する構成が可能である。この場合、上述したマイクが本発明の情報入力部に対応する。
【００９６】
また、上述した実施例において、受光部１１０に入力される画像光投射指示情報を無効とする設定が行われている場合、例えば、受光部１１０への電力供給を停止する制御、または、受光部１１０外部のカバーを閉じる制御等を行って受光部１１０に受光させない制御を行ってもよい。また、受光部１１０と判定部との間にスイッチを設け、当該スイッチを切断することによって受光部１１０からの信号を遮断するようにしてもよい。すなわち、受光部１１０から有効な信号が出力されないようにすればよい。
【００９７】
また、上記実施形態において、本発明の読取部としてディスク再生部１８０を例示したが、本発明はこれに限定されるものではない。すなわち、リムーバブルな記録媒体として各種の光ディスクのほか、不揮発性の半導体メモリーを採用できることは言うまでもない。このような半導体メモリーとして、種々のフラッシュメモリーが利用可能であり、このような半導体メモリーに対応したアダプターを、本発明の読取部として採用することができる。
【００９８】
また、プロジェクター１００〜１０４の有するコンピューターは、情報記憶媒体に記憶されたプログラムを読み取って制御部１５０〜１５４等の処理を実行してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００９９】
また、プロジェクター１００〜１０４は、画像投射部に含まれる光変調装置を、種々の液晶パネル（透過型、ＬＣＯＳ等の反射型）や、ＤＭＤ(Digital Micromirror Device)を用いて構成することができる。なお、ＤＭＤは米国テキサス・インスツルメンツ社の商標である。また、プロジェクター１００〜１０４の機能を複数の装置（例えば、ＰＣとプロジェクター等）に分散して実装してもよい。
【０１００】
なお、プロジェクター１００〜１０４の光源は、特定の種類に限定されるものではなく、放電灯、有機ＥＬ、発光ダイオード、半導体レーザー等、種々の態様が可能である。
【０１０１】
また、上述した実施例において、リモコン２００は画像光投射指示情報を受光部１１０、１１１に送信するものとしているが、プロジェクター１００〜１０４がそれぞれ有する機能の全部または一部を制御するための制御信号（画像光投射指示情報を含む）を送信することができるようにリモコン２００を構成することが望ましい。
【０１０２】
また、上述した実施例において、本発明のセーフモードの一例としてチャイルドロック機能を例示したが、発明を限定するものではない。プロジェクターの画像投射部から投射される光が通過する範囲の空間から、画像光投射指示情報が送信された場合に、プロジェクターが画像光を投射しないモードは、機能や動作モードの名称に関わらず、本発明のセーフモードに含まれる。
【符号の説明】
【０１０３】
１００〜１０４  プロジェクター、１１０  受光部（第１の情報入力部）、１１１  受光部（第２の情報入力部）、１２０  記憶部、１２２  設定データ、１３０  判定部、１４０  更新部、１５０〜１５４  制御部、１６０  電源、１７０  光源、１７１  レンズカバー駆動部、１７２  レンズカバー、１８０  ディスク再生部、１９０  通知部、２００  リモコン、３００、３０１  情報記憶媒体
【図１】
2010211199.tif 000003
【図２】
2010211199.tif 000004
【図３】
2010211199.tif 000005
【図４】
2010211199.tif 000006
【図５】
2010211199.tif 000007
【図６】
2010211199.tif 000008
【図７】
2010211199.tif 000009
【図８】
2010211199.tif 000010
【図９】
2010211199.tif 000011